(57)【要約】【課題】  米研ぎなど洗浄後の水を直ちに排水することなく回収貯留できるようにして、他の用途に再利用するなど水質環境や節水の改善を図る。【解決手段】  上面を開口し周壁に多数の小孔を形成した有底容器状の洗浄ケース１と、上面に前記洗浄ケース１を収納支持する凹所９を有し、内部を貯水部１１とした中空容器状のタンク２と、このタンク２の凹所９に収納した前記洗浄ケース１を、所定位置に固定及び解除可能に設けたロック手段と、前記タンク２の凹所９に内部の貯水部１１と連通及び遮断可能に設けた弁装置とを具備した構成とする。【選択図】  図１
0003101872.tif 000002
【実用新案登録請求の範囲】
【請求項１】
上面を開口し周壁に多数の小孔を形成した有底容器状の洗浄ケースと、上面に前記洗浄ケースを収納支持する凹所を有し、内部を貯水可能とした中空容器状のタンクと、このタンクの凹所に収納した前記洗浄ケースを、所定位置に固定及び解除可能に設けたロック手段と、前記タンク凹所に内部と連通及び遮断可能に設けた弁装置とを具備したことを特徴とする米などの洗浄用具。
【請求項２】
弁装置は、タンク凹所の底部に形成された注入口と、この注入口を開閉すべく洗浄ケース底面に設けられた弁体とから構成するとともに、該注入口はロック手段に応動して洗浄ケースを固定支持したとき閉鎖され、固定解除したとき開放されることを特徴とする請求項１記載の米などの洗浄用具。
【請求項３】
タンクは、ブロー成形にて中空容器状に形成され、その空気を吹き込む穴を利用して注入口を設けたことを特徴とする請求項２記載の米などの洗浄用具。
【請求項４】
タンクには、持ち運び用の取っ手を有するとともに、外側部には少なくとも注入口より上位に開口し外部に連通した注出口を設けたことを特徴とする請求項２又は３記載の米などの洗浄用具。
【考案の詳細な説明】
【技術分野】
【０００１】
本考案は、米などを水洗いするとともに、洗浄後の水を貯留可能とした米などの洗浄用具に関する。
【背景技術】
【０００２】
従来より、例えば精米された米は、水洗いすることにより米粒の表面に付着した米ぬかが洗い落とされ炊飯に供されているが、このときの白濁した水、所謂研ぎ汁は、周知のように米粒に最付着し浸透することを防ぐため、手早く水切りを行ない流し台等に直ちに排出している。しかるに、上記洗米のための用具としては、一般家庭ではボール状の容器、炊飯用の鍋（釜）や水切り用のざるなどが用いられ、流し台という給排水設備を備えたスペース的にも制約を受ける場所で通常手洗いにて行なわれ、研ぎ汁も水切りと同時に排出されている。
【０００３】
そこで、最近では上記のような場所的な制約を受ける中で、鍋などを用いた操作が煩わしいとする洗浄作業の問題点を解消するため、専用の洗米容器を流し台に移動不能に固定したり、それを解除可能とし、且つ容器の下部から水切り及び排水を容易に行なえるようにしたものが案出されている（例えば、特許文献１参照）。
その他、研ぎ汁の排出時に米粒が流出しないようにしたネットを備えたボール、水道水を直接容器に取り込み注水圧で洗うようにしたもの、米研ぎ用の撹拌羽根を備えたものなど、多数の洗米用の用具が提案されおり、確かに流し台を利用した場合の操作性については改善が見込まれるものの、これら改善案の殆んどが洗米たる米を研ぐ手段や、直ちに排水できる手段に関するものばかりである。
【０００４】
一方、最近では工業排水のみならず家庭での生活排水にあっても、その排水のたれ流しによる水質汚染の環境問題が指摘されており、例えばてんぷらの廃油だとか、洗濯水とか、米の研ぎ汁など、そのまま河川などに流されているのが実情で、その浄化への負担は極めて大きく浄化能力の限度を超えている。例えば、毎日発生する米の研ぎ汁を浄化するには、数百リットル以上もの水資源を費やすことになると言われていることからも、ＢＯＤ負荷量の程度も大略予測される。
【０００５】
ところが、上記研ぎ汁には下水処理でも完全に除去することが難しいリンや窒素を含み、これが水質汚染の一つの要因であることは否定できないが、一方で該研ぎ汁をプランターや畑の土壌等に散布することで植物の育成に有効活用できることも知られている。また、米ぬかには、ビタミン（Ｂ１，Ｂ２）、脂質、澱粉質などが含まれており、例えば油分を利用したフローリングの床磨き、また食器類に付着した油分を研ぎ汁に漬けておくことで落とすことができる洗剤として利用できること、或いは保湿効果や美白効果を有し洗顔による美容（化粧水効果）、更には料理を美味しく仕上げる等々、多くの活用が期待できるものである。
【０００６】
また、研ぎ汁はそのまま下水に流すと河川の汚染源になるが、これに糖蜜やＥＭ（有用微生物）を加えたＥＭ発酵液にすれば、特に臭気を断ち水質改善の効能が一層高められ、活用用途の拡大も期待できるとともに、例えば具体的には流し台の排水管にあっては、そのぬめりや悪臭を取り除き、河川の浄化源としても有益に機能する。
【特許文献１】特開２００２−１２５８６９号公報
【考案の開示】
【考案が解決しようとする課題】
【０００７】
上記したように米の研ぎ汁は、汚染源にも浄化源にもなり得るものであるが、殆んどが生活汚水として直ちに下水に流されていることが汚染源の大きな要因であり、これには米の洗浄用具としても特許文献１のように研ぎ汁を直ちに排水する構成にあって、研ぎ汁など洗浄後の水を再利用可能とする機能を具備していないがためである。
【０００８】
本考案は上記事情に鑑みて、米の研ぎ汁など洗浄後の水を簡単に貯留できる機能を付加し、汚水として直ちに排水されて汚染源となるのを抑制できるとともに、延いては諸用途に有益に活用可能とし節水にも寄与するなど、水質環境と実益性に優れた洗浄用具を提供することを目的とする。
【課題を解決するための手段】
【０００９】
本考案の米などの洗浄用具は、上記問題点を解決するために、上面を開口し周壁に多数の小孔を形成した有底容器状の洗浄ケースと、上面に前記洗浄ケースを収納支持する凹所を有し、内部を貯水可能とした中空容器状のタンクと、このタンクの凹所に収納した前記洗浄ケースを、所定位置に固定及び解除可能に設けたロック手段と、前記タンク凹所に内部と連通及び遮断可能に設けた弁装置とを具備したことを特徴とする（請求項１の考案）。
【００１０】
また、請求項１記載のものにおいて、弁装置は、タンク凹所の底部に形成された注入口と、この注入口を開閉すべく洗浄ケース底面に設けられた弁体とから構成するとともに、該注入口はロック手段に応動して洗浄ケースを固定支持したとき閉鎖され、固定解除したとき開放されることを特徴とする（請求項２の考案）。
また、請求項２記載のものにおいて、タンクは、ブロー成形にて中空容器状に形成され、その空気を吹き込む穴を利用して注入口を設けたことを特徴とする（請求項３の考案）。
【００１１】
そして、請求項２又は３記載のものにおいて、タンクには、持ち運び用の取っ手を有するとともに、外側部には少なくとも注入口より上位に開口し、外部に連通した注出口を設けたことを特徴とする（請求項４の考案）。
【考案の効果】
【００１２】
本考案の米などの洗浄用具は、上記請求項１記載の構成によれば、タンクは、洗浄ケースの収納支持と貯水機能を兼ねたコンパクトな構成にて提供できるとともに、弁装置によりタンク内部と遮断して該タンク上面の凹所に洗浄ケースを収納することにより、米などを簡単に水洗いすることができる。そして、弁装置にてタンク内部と連通状態とすることにより洗浄後の水を簡単に貯留できるので、直ちに排水していた従来に比し貯留した水を他用途に容易に再利用でき、併せて節水効果も期待できるとともに、流し台など排水できる場所に限らず使用できるので、スペース的に制約を受ける流し台やキッチンを有効に活用できる。
【００１３】
また、上記請求項２記載の構成によれば、米などの洗浄の際して、ロック手段により洗浄ケースを収納位置に固定する一方、これに応動して弁装置がタンクの注入口を閉鎖するので洗浄準備が容易にできる。そして、洗浄後に洗浄ケースの固定解除に応動して、前記注入口を開放し連通状態とするので、タンク内に洗浄後の水を簡単操作にて容易に貯留できる。このように、洗浄準備から洗浄後の水を貯留するまでの操作性、所謂作業性に優れた米などの洗浄用具が提供できる。
【００１４】
更に、上記請求項３記載の構成によれば、洗浄ケースの支持と貯水機能を有する中空容器状のタンクは、ブロー成形にて容易に形成できるとともに、成形用の空気を吹き込むための貫通した穴部を利用して注入口を形成したので、この吹き込み穴を塞ぐ加工を要せず一層タンクの製作が容易となり製造コストの低減も図り得る。
【００１５】
そして、上記請求項４記載の構成によれば、タンクに取っ手を設けたので、この凹所に収納した洗浄ケースと共に自由に持ち運びができるとともに、例えば洗浄後の水を所望の場所に運んで撒くことができ、また注出口から所望の部所に正確に撒くことができるなど、貯水可能としたタンクを具備した洗浄用具の使い勝手を頗る良好となし得る。
【考案を実施するための最良の形態】
【００１６】
以下、本考案の米などの洗浄用具を示す一実施例について、図１〜図７を参照して説明する。
そのうち、図１は、図２に示す平面図のＡ−Ａ線に沿って切断して示す断面図、図３は全体の外観斜視図、図４は図２のＢ−Ｂ線に沿って切断して示す要部の断面図で、図５は図２のＣ−Ｃ線に沿って切断して示す要部の断面図である。尚、図２の平面図は、後述する蓋３及び手提げ４の一部を破断して示し、またこれら図面に示す手提げ４は、起倒自在に取着され通常は側方（横）に倒れているが、単に構成を説明する便宜上、持ち運び時のように起立した状態を示している。
【００１７】
図示するうち、特には図１及び図２に示すように、洗浄用具の構成の大略は、米など被洗浄物が投入される有底容器状の例えばボール状の洗浄ケース１と、該洗浄ケース１の収納支持と併せて貯水機能を有するタンク２と、前記洗浄ケース１の上面開口を開閉する蓋３と、前記タンク２に回動可能に設けられた持ち運び用の取っ手としての手提げ４等を具備した構成としている。
【００１８】
そのうち、まず洗浄ケース１につき詳述すると、これは米などの被洗浄物が投入され手で水洗いするために上面が開口した円形ボール状をなし、その湾曲した周壁全体には多数の小孔たるスリット５ａや透孔５ｂが形成されていて、少なくとも米粒（図示せず）が通り抜けできない幅寸法や径寸法に形成されている。尚、円形状の開口周縁部１ａは、カール状に折り返し形成されているが、その等配分された例えば４箇所には外方に小さく突出した凸部６を形成しており、また底部には平坦で円形状の底板部１ｂを形成していて、その下面側には後述する取付リング７及び弁体８等を備えている。
【００１９】
これに対し、上記タンク２は上記洗浄ケース１を収納支持し、且つ貯水可能な構成としてなるもので、全体形状としては矩形容器状をなし実質的に洗浄用具の周壁たる外郭を形成している。まず、上面には前記洗浄ケース１の略全体を収納し且つ曲率が異なる湾曲形状をなす平面視円形状の凹所９を形成していて、その平坦な底部に形成した後述する注入口１０を除き無孔状の構成となしている。従って、詳細は後述するが該凹所９に洗浄ケース１が収納され所定位置に固定支持された場合（図１参照）には、前記弁体８が注入口１０を水密に閉鎖するようにしていて、この状態で凹所９内に給水されると、排水されることなく該凹所９に貯水される構成にある。
【００２０】
また、図１，２及び図５に示すように、タンク２の上面は円形の凹所９開口部と矩形の周壁との間に水平なフランジ部２ａが形成されている。このフランジ部２ａには、所定位置に固定支持された状態の洗浄ケース１の開口周縁部１ａの外周端部が、載置若しくは近接した配置状態にある。更に、特に図２に示すように前記した４箇所の凸部６は、このフランジ部２ａの各隅部に配置されるとともに、そのうちの一つは矢印が施されてなる指標１７と兼用した構成としている。従って、図２に示すようにフランジ部２ａの一隅部（スペース）を利用して、その区域内に指標１７が指し示す「しまる」から、所定間隔を経て「ゆるむ」の表示を施してなる表示部１８が設けられていて、これは後述するように洗浄ケース１の回動範囲を表すとともに、適正な位置を示すガイド機能をなしている。
【００２１】
このような凹所９となす上面形状に対し、その下方部分にあっては矩形の周壁をなし中空容器状となして内部に貯水部１１を形成している。従って、上面に設けた前記注入口１０は、該貯水部１１への入り口として内外連通している。そして、特に図４の断面図に示すように、周壁の外側部には少なくとも凹所９底部の注入口１０より上位に開口し、外部に連通した注出口１２を突設している。このように、中空容器状をなすタンク２は、例えばブロー成形により半透明な樹脂材料にて一体成形され、しかも成形時の空気の吹き込み穴を利用して前記注入口１０として加工され、また注出口１２の先端開口もブロー成形後の突出した袋状端部を切除することで簡単に形成することができる。尚、図示するように注入口１２周りには基板１３及びロックピン１４がもうけられているが、これらについては前記した洗浄ケース１の取付リング７等とともに詳細後述する。
【００２２】
斯くして、図１，２に示すように凹所９に洗浄ケース１が収納支持された状態において、該洗浄ケース１及び凹所９の上面開口を開閉するため、着脱可能な蓋３が配設されている。この蓋３も、例えば本実施例ではブロー成形にて扁平な中空容器状に形成され、その上面には、中心部を挟むように対向位置に形成された窪み部１５により、中央部に摘み部１６を形成して、着脱操作を容易にしている。しかるに、該蓋３が直接載置される箇所は図２及び図５の断面図に示すようにタンク２のフランジ部２ａより若干高く形成された４隅部の各台座部２ｂ上にあって、被せられた蓋３は略タンク２の上面全体を覆う構成としている。
【００２３】
また、取っ手としての手提げ４は、例えばブロー成形にて中空の概略Ｕ字状をなすように形成されていて、その両端部を取付ピン１９を介してタンク２に起倒自在たる回動可能に取着されている。しかるに、この取付ピン１９は、タンク２の外側上部の対向位置に設けられた取付孔２０に弾性的に圧挿されて抜け止め状態に保持され、その外方に突出した取付ピン１９に、手提げ４がその弾力性を利用して圧挿され、抜け止め状態で且つ回動可能に取り付けられている。以って手提げ４は、タンク２はもとより収納支持された洗浄ケース１や蓋３も合わせた洗浄用具全体を自由に持ち運びすることができる。
【００２４】
ここで、前記した洗浄ケース１の底板部１ｂの下面側に設けた取付リング７や弁体８、タンク２の凹所９に設けた基板１３、及びその関連構成の詳細につき、主に図６の分解斜視図及び図７の要部の拡大断面図を参照して説明する。洗浄ケース１の底部は、例えば円形で逆皿形状となした底板部１ｂを形成していて、その下面内側に円形状の取付リング７が適宜の固着手段、例えばかしめ手段により複数箇所を前記底板部１ｂに固定されている。そして、この取付リング７には、下面中央部に円形状の凹部２２が形成され、該凹部２２にゴム等の弾性部材からなる弁体８が貼着されている。この弁体８は、自由状態で凹部２２より下方に突出する厚みをなし、且つ底板部１ｂの深み（皿形状）を有する下面よりも若干突出するよう装着されている。
【００２５】
更に取付リング７には、上記弁体８の周りには例えば４個の係合孔が形成されている。この係合孔２３は、謂わば鍵穴の如き一端に円形の丸穴部２３ａを有し、この丸穴部２３ａに連続して細い溝状の長穴部２３ｂを全体に湾曲した形状に設けたもので、同方向に４等配された環状配置としている。しかるに、この係合孔２３の下面は前記弁体８の下面よりも突出しない構成とするとともに、その上面側では丸穴部２３ａより若干径大な溝幅とする環状溝２１が形成され、前記底板部１ｂとの間に該環状溝２１の空間が形成されている。
【００２６】
一方、タンク２側にあって、凹所９の中央部に設けた注入口１０は、上記弁体８に対応した位置に形成してあり、該注入口１０を除く周辺に円形の基板１３が複数箇所をかしめ手段により固着されている。この基板１３には、前記係合孔２３の環状配置に相応する４箇所にロックピン１４がかしめ手段により植設されている。このロックピン１４は、リベット状をなし頚部１４ｂ及び上端部に径大な頭部１４ａを有していて、該頭部１４ａは前記した係合孔２３の丸穴部２３ａより径小で挿入可能とし、長穴部２３ｂより径大とする寸法形状としていて、頚部１４ｂは長穴部２３ｂを移動可能な寸法としている。
【００２７】
斯かる構成の結果、洗浄ケース１の底板部１ｂとタンク２の凹所９との間には、注入口１０を弁体８により開閉可能とする弁装置としての機能、及び取付リング７の係合孔２３とロックピン１４との係合離脱により洗浄ケース１の位置固定と解除とを可能とするロック手段としての機能を備え、しかも該ロック手段による固定及び解除に応動して、弁装置を構成する注入口１０が開閉される機構としており、その詳細は後の作用説明の項で述べる。因みに、図７（ａ）は固定操作直前の状態を示し、同（ｂ）は固定後の夫々異なる状態を示している。
【００２８】
次に、上記構成の米などの洗浄用具の作用について述べる。
まず、被洗浄物として米を水洗い（米研ぎ）する例に基づき説明すると、タンク２の凹所９に空の洗浄ケース１を収納する。このとき、開口周縁部１ａの指標１７が隅部の表示部１８の「ゆるむ」に合わせた位置で収納する。すると、この位置は係合孔２３の丸穴部２３ａとロックピン１４とが合致する位置設定にあるため、頭部１４ａが丸穴部２３ａに挿入可能な状態にあるが、弁体８の厚みによる下面が基板１３に当接することから頭部１４ａの一部が丸穴部２３ａに挿入される。尚、このとき凸部６も指標１７と同様に隅部に配置される。
【００２９】
従って、この状態で洗浄ケース１を下方に押圧操作すると、弁体８が押圧されて弾性変形し厚み方向に圧縮される。これにより、取付リング７が更に下降してロックピン１４の頭部１４ａは丸穴部２３ａを通り抜け幅広な環状溝２１に達し、周方向に回動可能となり、所謂洗浄ケース１が回動可能な位置に達する。そこで、洗浄ケース１を押圧しながら指標１７が表示部１８の「ゆるむ」から「しまる」方向（時計方向）に回動操作すると、相対的にロックピン１４の頚部１４ｂが長穴部２３ｂ内をガイドされて移動し、その終端部で衝止されるまで移動する。この停止位置が指標１７が「しまる」の表示部１８を指す位置関係にあり、これが洗浄ケース１の回動範囲であり、指標１７が指す表示部１８の「ゆるむ」〜「しまる」間に相当するものである。
【００３０】
そして、衝止された停止位置で操作力を解除すれば、弁体８は圧縮状態に保持され基板１３に弾性的に圧接して注入口１０を確実に閉鎖する。また、ロックピン１４が係合孔２３の長穴部２３ｂを反時計方向に戻らない限り係合孔２３から離脱できず、且つ弁体８の弾発力にてロックピン１４には摩擦係合力も付加されて、表示部１８の「しまる」位置での係合孔２３との係合状態は確実に保持される。
【００３１】
斯くして、ロックピン１４と係合孔２３との係合は洗浄ケース１を所定の収納位置に固定支持するロック手段として機能する一方、この操作に応動して弁体８が注入口１０を閉鎖しタンク２内部の貯水部１１とは遮断する弁装置として機能する。従って、注入口１０以外は無孔状である凹所９は貯水可能な状態にある。尚、洗浄ケース１の回動操作するに際して、開口周縁部１ａに突設した４個の凸部６は、４隅部の区域内にあって手の滑り止めや引っ掛け部として機能する。
【００３２】
このように、洗浄ケース１を所定の収納位置に固定したら手提げ４を持って、タンク２とともに例えば図示しない流し台に運び、水道蛇口の下方に配置する。そして、所定量の米を洗浄ケース１内に投入した後、水道水を供給する（いずれも図示せず）。この場合、米はスリット５ａや透孔５ｂ等の小孔から抜け出ることなく洗浄ケース１内に貯留され、また水は洗浄ケース１及びタンク２の凹所９内に貯留される。斯くして、洗浄ケース１に米と水が所定量供給された状態で、手洗いによる米研ぎが行なわれる。
【００３３】
この米研ぎにより、米粒の表面に付着していた米ぬかが洗い落とされ、水は白濁した研ぎ汁となる。この米研ぎ作業を終えたら、研ぎ汁は速やかに排出する必要があり、所謂水切りを直ちに行なうようにする。しかるに、この水切りの工程では、研ぎ汁を流し台に排水するのではなくタンク２の貯水部１１に注入貯留される。そのためには、洗浄ケース１を上記とは逆に反時計方向に回動操作する。これは、図２に示す指標１７が表示部１８の「しまる」を指している固定支持状態から、同「ゆるむ」側に向かって回動操作する。
【００３４】
しかして、指標１７が表示部１８の「ゆるむ」を指す位置まで回動されると、ロックピン１４が長穴部２３ｂを相対的に移動して径大な丸穴部２３ａに達する。これにより、４個のロックピン１４の径大な頭部１４ａと係合孔２３の丸穴部２３ａとが全て一致し、洗浄ケース１を上方に持ち上げることが可能となり、所謂ロック手段による固定支持が解除される。従って、この指標１７が表示部１８の「ゆるむ」位置に達すると、弁体８の弾発力により頭部１４ａが丸穴部２３ａに侵入する方向（下方に抜け出る方向）に付勢されることも相俟って、係合孔２３とロックピン１４との係合状態は容易に解除され、洗浄ケース１を上方に持ち上げることができる。
【００３５】
但し、ここで水切りを行なうには取り出すまでもなく、該洗浄ケース１を若干持ち上げた状態で十分に水切りすることができるので、ロック手段を解除され離脱した洗浄ケース１を、若干斜めに傾いた状態に保持すればよい。例えば、凹所９に突出状態に植設されたロックピン１４上に、洗浄ケース１底部の取付リング７や弁体８が当接した所謂浮き上がり状態に載置し、そのまま放置することで研ぎ汁は各所の隙間から注入口１０に流れ、貯水部１１に貯留しつつ水切りすることができる。
【００３６】
尚、貯水部１１の容積は、凹所９内の貯水容積より大きく製作して、研ぎ汁の複数回分を貯留できるようにしてあり、連続した米研ぎが行なわれてもすぐに溢れ出ることなく貯留できる。また、本実施例ではタンク２を半透明な樹脂材料から成形したので、研ぎ汁の貯留状態が外部から容易に視認でき、一層使い勝手が良い。
更には、本実施例では洗浄用具を流し台に配置した使用例を述べたが、このような給排水場所に捉われることなく、例えば床や卓上に載置して使用しても実質的に何ら問題なく使用でき、特に場所やスペース的な制約は受けない。
【００３７】
そして、米研ぎを終え研ぎ汁をタンク２に貯留した後、米は洗浄ケース１ごと取り出され、炊飯用の鍋などに移し替えて炊飯する一方、研ぎ汁はそのまま植木などの土壌に撒いたり用途に応じ適宜の容器に移し替えすれば良く、例えば糖蜜やＥＭを加えたＥＭ発酵液としたい場合には、密封可能な容器に移し替えるなどして、用途に応じた再利用を図る。
また、被洗浄物として米の場合には、その洗浄後の水を研ぎ汁として植物の育成や洗剤及び浄化源など多用途に活用できる点で好適するが、このような多用途は見込めないものの米以外の豆類などの穀物や野菜など、水中への浸漬、水洗いや水切りを要する被洗浄物に広く適用できるし、この場合の洗浄後の水は汚れ具合により、例えば庭の水打ちや植木などの水補給などに活用でき、節水効果としても十分に期待できるものである。
【００３８】
以上説明したように本実施例によれば、次の効果を有する。
洗浄用具として、タンク２の上面の凹所９に洗浄ケース１を収納した状態で、米などを水洗いすることができる構成とするとともに、タンク２内部の貯水部１１と連通，遮断する弁装置を設けて適宜洗浄後の水を貯留回収できるようにした。従って、洗浄後の水を弁装置を介して容易に貯留できるとともに、この貯留した水を他用途への再利用を図ることができる。しかも、この洗浄用具は流し台など給排水できる場所に限らず使用できるので、スペース的に制約を受け易い流し台上やキッチンを有効に活用できる。また、タンク２の凹所９は、洗浄ケース１の収納支持と洗浄用水の貯水機能を兼ねた一体構成とすることができ、構造的に特に複雑化することなく容易に製作できるとともに、内部の貯水部１１も含め、例えばブロー成形にて中空容器状に容易に形成でき安価に提供できる。
【００３９】
加えて、上記弁装置は洗浄ケース１のロック手段に応動して開閉し、例えば米などの洗浄に際しては、ロック手段により洗浄ケース１を凹所９内の収納位置に固定する一方、これに応動して弁装置がタンク２の注入口１０を閉鎖して洗浄準備が容易にできるとともに、洗浄後に洗浄ケース１を離脱すべく操作した固定解除に応動して、前記注入口１０を開放しタンク２内部たる貯水部１１と連通状態とするので、凹所９内の洗浄後の水をタンク２内部に容易に貯留できる。このように、洗浄するための操作から洗浄後の水を貯留するまでの操作は、実質的に洗浄ケース１を往復回動させるだけの簡単操作にて実行できる。
【００４０】
そして、タンク２に取っ手としての手提げ４を設けたので、この凹所９に収納した洗浄ケース１と共に持ち運びができ、所望の場所に簡単に持ち運んで利用できる。勿論、タンク２単体での持ち運びも容易なので、内部に貯留した研ぎ汁等の水を注出口１２から所望の場所に容易に撒くことができるなど、貯水可能としたタンク２を具備した洗浄用具の使い勝手を良くしている。
【００４１】
しかも、本実施例の如くタンク２を半透明の樹脂成形としたので、内部に貯留した研ぎ汁の貯留量を容易に視認できるので、この点でも使い勝手を良くするとともに、中空容器状のタンク２はブロー成形にて容易に形成でき、且つその成形時に中央の吹き込み穴を巧みに利用して注入口１０を形成したので、該吹き込み穴を水密に塞ぐなどの加工を省略できて効率良く製作できる。
【００４２】
尚、上記実施例では取っ手として上記構成の手提げ４を用いたが、これに限らず、例えばタンク２の周壁外面に相対する位置に内方に窪む手掛け部を形成しても良く、この場合も上記と略同様の使い勝手が得られる。その他、洗浄ケース１を固定解除する上記ロック手段など、図８，９，１０に示すように変形して実施可能であり、以下この変形例につき上記実施例と実質的に同一部分については同一符号を付して説明を省略し、主に異なる点についてのみ説明する。
【００４３】
（変形例１）
図８は、本考案の第１の変形例を示す図７相当図で、このものは、上記ロック手段の異なる例を示したものである。即ち、上記実施例では洗浄ケース１を回動操作することで該洗浄ケース１の位置固定及び解除可能としたロック手段にあって、且つこれに応動して弁装置が注入口１０を開閉できる構成である。これに対し、この変形例では洗浄ケース１を上下動操作することで、ロック手段及び弁装置による上記両機能が有効に発揮できるようにしたものである。
【００４４】
まず、図８（ａ）は、洗浄ケース１をタンク２の凹所９に収納直前の状態を示し、同図（ｂ）はロック手段により洗浄ケース１が固定支持され、且つ弁装置により注入口１０が閉鎖された状態を示している。まず、構成につき説明すると、円形状の底板部１ｂの下面側には、取付リング２４がかしめ手段等により固着され、その中央部には弁体８が上記と同様に突出した状態に貼着されている。この構成では、上記実施例に対し取付リング２４の具体形状が異なり、弁体８を遠巻きするように環状に配置された複数のロック片２５を備えている点である。
【００４５】
このロック片２５は、下方に突出された端部を楔形状となし、間欠的に数個を環状配置した弾性変形可能な構成としている。
一方、タンク２の凹所９には、中央に注入口１０を有し、基板２６をかしめ手段により取着した大略的な構成は上記実施例と略共通であるが、該基板２６の一部具体形状において相違する。即ち、基板２６は円形状をなし、その外周囲の環状の立ち上がりフランジ部に前記ロック片２５の楔形状に係合する形状とした係合部２６ａを備えてなるもので、その他は上記実施例と同様に弁体８が圧接する弁座としても機能する。尚、タンク２凹所９の底部の中央部位には、円形状に陥没した凹陥部９ａを連続して形成した構成としている。これは、後述するが洗浄ケース１の収納ガイドとして機能するように、底板部１ｂが嵌合可能としたものである。
【００４６】
斯くして、上記構成の作用について述べると、ロック手段として洗浄ケース１をタンク２凹所９の所定位置に収納し固定支持するには、洗浄ケース２を上方からタンク２の凹所９内に下ろす。このとき、前記したように底板部１ｂの外周壁部が凹陥部９ａに嵌合するようにすることで、洗浄ケース１は所定の中央位置に収納可能にガイドされる。しかして、上記嵌合した状態から押圧することで、弁体８を基板２６上に圧縮しつつ下降して、取付リング２４のロック片２５が、基板２６の係合部２６ａに弾性係合するに至る。このように、取付リング２４（ロック片２５）と基板２６（係合部２６ａ）とから構成されるロック手段による係合は、図８（ｂ）に示すように弁体８の弾発力に抗して保持され、洗浄ケース１を固定支持する。同時に、弁体８は基板２６に圧接状態に保持され、注入口１０を確実に閉鎖状態に保持する。
【００４７】
これに対し、米などの水洗いを終え水切りするため上記ロック手段による洗浄ケース１の固定支持を解除するには、上記ロック片２５と係合部２６ａとの弾性係合に勝る力で、該洗浄ケース１を上方に持ち上げるようにすれば簡単に離脱できる。そして、水切りするとともに洗浄後の水を貯留したい場合には、洗浄ケース１を凹所９内で若干斜めにした状態としておくことで、凹所９内の水は各所の隙間を経て注入口１０に流れ、水切りとともに貯水部１１に貯留される。
【００４８】
このように、洗浄ケース１を上下動作のみにて上記実施例と同様にロック手段や弁装置を機能させることができ、特にこの変形例ではロック手段が有効に機能するために所定の回動範囲を設定するなどの制約がないので、位置合わせの工夫や労苦を伴なわない点で優れておるもので、ロック手段はその他具体的構成において種々変形して実施可能である。
また、凹所９の凹陥部９ａは洗浄ケース１の収納ガイドとして有効であるが、これは必ずしも必要ではなく、或いは凹陥部９ａに代えてリブを立設してガイド機能を持たせるようにすることも可能である。
【００４９】
（変形例２）
図９は、本考案の第２の変形例を示す図１相当図で、このものは、上記実施例では被洗浄物（米）を手洗いにより撹拌するのに対し、簡単な撹拌装置２７を用いるようにしたものである。この撹拌装置２７は、概述すると洗浄ケース１の上面開口を閉鎖するように開口周縁部１ａに載置される支持台２８と、ハンドル機構２９と、複数の翼片３０ａ，３０ｂからなる撹拌体３０とを具備した構成からなる。
【００５０】
そのうち、支持台２８は円板形状をなし周端部に下方に僅か垂下した鍔部２８ａと、中央部に上下方向に延びる軸筒部２８ｂと、貫通した穴からなる給水口２８ｃと、上記鍔部２８ａのうちの４箇所に形成された切欠部２８ｄ（１箇所のみ図示）とから構成される。尚、切欠部２８ｄは、開口周縁部１ａの４箇所に突設された凸部６に対応した位置に形成され、該凸部６が嵌合可能としている。従って、支持台２８を洗浄ケース１の開口周縁部１ａの外周囲に被着したとき、これら突部６が切欠部２８ｄに嵌合することで、該支持台２８が周方向への回動を阻止されて容易に位置ずれしないようにしている。また、中央部の鉛直な軸筒部２８ｂには、その上下面の放射方向に形成されたリブ２８ｅにより強度補強された構成としている。
【００５１】
これに対し、ハンドル機構２９は上記軸筒部２８ｂに回動可能に軸支されている。即ち、ハンドル機構２９は前記軸筒部２８ｂに回動可能に挿通された撹拌軸２９ａと、この軸２９ａの上方に延出された端部に連結固定され径方向に延びたアーム部２９ｂと、このアーム部２９ｂの先端部に回動可能に取着された把手部２９ｃとから構成されている。
そして、この撹拌軸２９ａの下端部に前記撹拌体３０が取り付けられている。即ち、撹拌体３０は、中心に上記撹拌軸２９ａを挿通可能な中空軸部３０ｃと、該軸部３０ｃから放射方向に延びた前記翼片３０ａ，３０ｂとを具備してなり、上記中空軸部３０ｃは前記撹拌軸２９ａに回動不能に挿通された後、この下端部に抜け止め用の係止環２９ｄが介装されて取り付けられている。
【００５２】
斯くして、上記構成の撹拌装置２７を用いて被洗浄物たる米を水洗い（米研ぎ）する場合は、準備措置として上記実施例と同様にタンク２の凹所９に洗浄ケース１を収納し、該ケース１を時計方向（図２の「ゆるむ」位置から「しまる」方向）へ回動操作することでロック手段による位置固定とともに、これに応動して弁装置が注入口１０を水密に閉鎖する。しかる後、洗浄ケース１内に所定量の米を投入し、所定量の水を供給する。但し、この水の供給は、撹拌装置２７を図９に示すようにセットした後に、給水口２８ｃから行なってもよく、水は洗浄ケース１及び凹所９内に貯留された状態に維持される。
【００５３】
次いで、撹拌装置２７を装着するには、支持台２８を開口周縁部１ａに被着して、切欠部２８ｄと凸部６とが嵌合して回り止め状態となる適正位置にセットする。そして、この状態で支持台２８の上面を手で軽く押さえるようにしながら、もう一方の手で把手部２９ｃを握って例えば図９中の矢印方向に比較的ゆっくりと回動することにより、撹拌軸２９ａを経て撹拌体３０も同方向に回動され、米は水中で撹拌され米研ぎが行なわれる。
【００５４】
この米研ぎが終了したら、撹拌装置２７を上方に持ち上げることで、これを簡単に取り出すことができる。この後、固定状態の洗浄ケース１のロック手段を解除すべく反時計方向に回動すると、この解除動作に応動して弁装置が注入口１０を開放してタンク２内部と連通状態とし、洗浄後の研ぎ汁が凹所９から貯水部１１に流入して貯留され、併せて水切りが行なわれる。
【００５５】
このように、簡単にセット可能な撹拌装置２７を用いて米研ぎすることができ、直接手洗いすることが困難であったり避けたい場合、例えば冬季などの冷水による水洗いを避けたい場合など好都合である。また、凸部６は洗浄ケース１を回動操作するときの手掛け用と、撹拌装置２７の位置ずれ防止を兼ね、しかもそのうちの一つは指標１７として洗浄ケース１の所定位置への収納を容易にするなど実用性に富んでいる。
【００５６】
（変形例３）
そして、図１０は本考案の第３の変形例を示す図３相当図で、このものはタンク２を上記の半透明材料に代えて不透明材料で形成するとともに、注出口１２の表面側に別部材の透明窓３１を嵌合及び貼着等の固着手段により水密に設けたものである。
この場合、透明窓３１を、その深さ方向である上下方向に長く形成するため、注出口１２をタンク２の底部近傍から突出して長く形成することで、低水位から視認可能である。しかも、透明窓３１は１箇所のみであっても、この例では注出口１２に設けたので、使用者は貯水量を確認する箇所が分かり易くて使い勝手が良い。
その他、本考案は実施に際して、本考案の要旨を逸脱しない範囲で、種々変更して実施できるものである。
【図面の簡単な説明】
【００５７】
【図１】本考案の一実施例を示す図２のＡ−Ａ線に沿って切断して示す断面図
【図２】一部破断して示す平面図
【図３】全体の外観斜視図
【図４】図２のＢ−Ｂ線に沿って切断して示す要部の断面図
【図５】図２のＣ−Ｃ線に沿って切断して示す要部の断面図
【図６】分解斜視図
【図７】要部の異なる状態（ａ），（ｂ）を示す拡大断面図
【図８】第１の変形例を示す図７相当図
【図９】第２の変形例を示す図１相当図
【図１０】第３の変形例を示す図３相当図
【符号の説明】
【００５８】
図面中、１は洗浄ケース、１ａは開口周縁部、１ｂは底板部、２はタンク、４は手提げ（取っ手）、７，２４は取付リング、８は弁体、９は凹所、１０は注入口、１１は貯水部、１２は注出口、１３，２６は基板、１４はロックピン、２３は係合孔、２５はロック片、２７は撹拌装置、及び３１は透明窓を示す。
【図１】
0003101872.tif 000003
【図２】
0003101872.tif 000004
【図３】
0003101872.tif 000005
【図４】
0003101872.tif 000006
【図５】
0003101872.tif 000007
【図６】
0003101872.tif 000008
【図７】
0003101872.tif 000009
【図８】
0003101872.tif 000010
【図９】
0003101872.tif 000011
【図１０】
0003101872.tif 000012